(57)【要約】  本願は、各々がＲＦＩＤまたはＮＦＣチップを具備する物品を保持するための複数の内側ポケット（１２）を備えた容器（１０）に関する。複数の内側ポケット（１２）の少なくともひとつを含む容器（１０）の少なくとも２つの面（１６）は、電気的導体層（１４）を有し、その結果、複数の内側ポケット（１２）の少なくともひとつは、少なくとも２つの面（１６、１８）によって電磁波からシールドされる。
2017520040.tif 000002
【特許請求の範囲】
【請求項１】
各々がＲＦＩＤまたはＮＦＣチップを具備する物品を保持するための複数の内側ポケット（１２）を備えた容器（１０）であって、前記容器（１０）は、少なくとも２つの面（１６、１８）上に与えられた電気的導体層（１４）によって複数の内側ポケット（１２）の少なくともひとつを包囲し、前記複数の内側ポケット（１２）の少なくともひとつは、前記少なくとも２つの面（１６、１８）によって電磁波からシールドされる、ことを特徴とする容器。
【請求項２】
前記少なくとも２つの面（１６、１８）は、前記容器（１０）の前記内側ポケット（１２）の複数、好適には、すべてを包囲する、ことを特徴とする請求項１に記載の容器（１０）。
【請求項３】
前記少なくとも２つの面（１６、１８）上の前記導体層（１４）の複数、好適にはすべてが、互いに一体的に形成されている、ことを特徴とする請求項１または２に記載の容器（１０）。
【請求項４】
前記容器（１０）は、ＲＦＩＤまたはＮＦＣチップを具備した複数の物品を保持するための財布、ハンドバッグ、プリペイドカードポケットまたはパスポートポケットである、ことを特徴とする請求項１から３のいずれか一項に記載の容器（１０）。
【請求項５】
前記電気的導体層は、カーボン、特にグラファイト、および／または、アルミニウムである、ことを特徴とする請求項１から４のいずれか一項に記載の容器（１０）。
【請求項６】
前記電気的導体層（１４）は、少なくともアルミニウムおよびグラファイトを含むマルチレイヤー構造である、ことを特徴とする請求項１から５のいずれか一項に記載の容器（１０）。
【請求項７】
前記電気的導体層（１４）の総厚は、８０ｎｍと１５０ｎｍとの間である、ことを特徴とする請求項１から６のいずれか一項に記載の容器（１０）。
【請求項８】
前記電気的導体層（１４）は、７０ｎｍと２００ｎｍとの間、好適には、１００ｎｍと１５０ｎｍとの間の累積厚のアルミニウムを有する、ことを特徴とする請求項１から７のいずれか一項に記載の容器（１０）。
【請求項９】
前記電気的導体層（１４）は、アルミニウム層およびポリエステル層を間に有する、複数の層、好適には３層のマルチレイヤー構造であり、
好適には、ポリエステル層がひとつのアルミニウム層の外側に配置されており、
好適には、グラファイト層がさらに、ひとつの前記アルミニウム層の外側に配置されている、ことを特徴とする請求項１から８のいずれか一項に記載の容器（１０）。
【請求項１０】
前記電気的導体層（１４）は、グラファイト、および、前記グラファイトの上に配置されたひとつまたは複数のＲＦＩＤチップのひとつまたは複数のアンテナを有する、ことを特徴とする請求項１から９のいずれか一項に記載の容器（１０）。
【請求項１１】
前記電気的導体層（１４）は、最大で１０％だけクレジットカードと大きさが異なる２つのエレメントを有し、前記エレメントは、前記容器（１０）内の前記クレジットカードのコンパートメントの反対側の側面上に配置されている、ことを特徴とする請求項１から１０のいずれか一項に記載の容器（１０）。
【請求項１２】
各々がＲＦＩＤまたはＮＦＣチップを具備する複数の物品を、複数の内側ポケット（１２）を有する容器（１０）内で保持し、前記容器（１０）の外部の電磁波から同時にシールドするための電気的導体かつ二次元の物体（１４）の使用。
【請求項１３】
前記電気的導体かつ二次元の物体（１４）は、自己接着性であるように作成される、ことを特徴とする請求項１２に記載の電気的導体かつ二次元の物体（１４）の使用。
【請求項１４】
前記電気的導体かつ二次元の物体（１４）は、基板に対して、特に、気相成長または接着によって適用され、前記基板はプラスチック、紙、ボール紙等である、ことを特徴とする請求項１２または１３に記載の電気的導体かつ二次元の物体（１４）の使用。
【請求項１５】
前記電気的導体かつ二次元の物体（１４）は、２つの二次元基板の間に挿入されている、ことを特徴とする請求項１２から１４のいずれか一項に記載の電気的導体かつ二次元の物体（１４）の使用。
【請求項１６】
前記電気的導体かつ二次元物体（１４）は、ユーザによって前記容器の形状に切断されており、および／または、前記容器（１０）の形状およびサイズに折りたたまれる、ことを特徴とする請求項１２から１５のいずれか一項に記載の電気的導体かつ二次元の物体（１４）の使用。
【請求項１７】
前記電気的導体層は、カーボン、特にグラファイト、および／または、アルミニウム、および／または銅である、ことを特徴とする請求項１２から１６のいずれか一項に記載の電気的導体かつ二次元の物体の使用。
【請求項１８】
請求項１から１１のいずれかに記載の容器（１０）に対する請求項１２から１７のいずれか一項に記載の電気的導体かつ二次元の物体（１４）の使用。
【発明の詳細な説明】
【技術分野】
【０００１】
本願発明は、電磁波を通じた非接触データ送信中のデータ盗難、身元詐称および不正支払を防止するための装置に関する。ＮＦＣ／ＲＦＩＤ電磁チップを備えたパスポート、クレジットカード、デビットカード、および、アクセスコントロールカード等が益々増えている。特に、本願発明は、ＲＦＩＤまたはＮＦＣチップを備えた物品を保持するための複数の内側ポケットを有する容器に関する。
【背景技術】
【０００２】
本願発明は、ＮＦＤ／ＲＦＩＤ電磁場技術を具備する、カード（健康カード／健康保険カード、クレジットカード／デビットカード、トラベルカード等）、身分証明書（パスポート、身分識別カード、社員証カード、アクセスカード等）および、次世代バンクノートに関する。
【０００３】
一般的に、この目的のためのＧＦＩＤトランスポンダーは、それに格納されたデータを電波送信によって受信機に送り、かつ、ＲＦＩＤチップを有するトランスミッターによって送信されたデータを受信しかつ格納するために使用されている。これは、低周波において、近くの電磁場を通じて誘導的に生じ、高周波において、遠くの電磁場を通じて生じる。ＲＦＩＤトランスポンダーが読み取ることができる距離は、設計（パッシブ／アクティブ）、使用周波数帯域、送信強度および環境的影響に応じて、数センチから１キロ以上まで変化する。
【０００４】
ＲＦＩＤトランスポンダーの個々のタイプのいくつかは、互いに大きく異なる。しかし、原理的には、ＲＦＩＤトランスポンダーの構造は、アンテナ、送受信用のアナログ回路（トランスポンダー）、および、デジタル回路および不揮発性メモリチップから成る。
【０００５】
バッテリーによって動作するアクティブトランスポンダーとは対照的に、パッシブＲＦＩＤトランスポンダーは、送受信装置が受信した電波から、それに格納された情報を送信するためのエネルギーを得る。この電波は連続波と呼ばれる。誘導コイルの機能を同時に実行するＲＦＩＤ／ＮＦＣのアンテナによって、キャパシタは誘導的に充電され、そのキャパシタは、タグとも呼ばれるＲＦＩＤ／ＮＦＣチップにエネルギーを供給する。キャパシタの小さい容量のため、タグが送信または受信モードである間、連続波は読み取り装置によって連続的に維持されなければならない。
【０００６】
付加的に、読み取り装置は、正面または背面を通じてのみチップカードを読み取ることができる。すなわち、データはエッジを通じて読み取ることができない。
【０００７】
ドイツ国特許出願公開第２０２０１００１６３４１号には、不所望な無線通信を防止するためのデバイスが開示されている。無線通信が可能な移動可能デバイスは、保護容器内で保持される。この点に関して、保護容器は、デバイスと外界との間での通信を制限または不可能にするように作成されている。
【０００８】
ドイツ国特許出願公開第２０２００６００２２８４号には、パスポート、身分証、チップカードおよびその他のＲＦＩＤ電波技術を具備する携帯メディアの読み取りを防止するためのシールドデバイスが開示されている。ＲＦＩＤを具備する身分証等の読み取りは、シールドカバーによって防止される。
【０００９】
ドイツ国特許出願公開第２０２０１３００３４１０号には、ＲＦＩＤ／ＮＦＣ保護を有する携帯電話カバーが開示されている。
【００１０】
上述したすべての文献に共通しているのは、完全なカバーによって保護が達成されるとうことである。
【発明の概要】
【発明が解決しようとする課題】
【００１１】
本願発明者は、ＲＦＩＤ／ＮＦＣトランスポンダーを具備する物品を完全にカバーすることは、不利であるということを認識した。特に、完全なカバーは、ユーザが、物品の使用準備をするために、比較的大きな努力を払わなければならないということを意味する。例えば、クレジットカードに関して、その中にカードを配置するカバーを、まず、ハンドバッグから取り出さなければならない。その次に、カードを当該カバーから取り出さなければならない。この追加的努力は、結果的に、従来のカバーが使用されずに、トランスポンダーがしばしば保護無しで持ち運ばれるということを意味する。また、複数のチップカード等に対して、ハンドバッグのボリュームは大きく増加してしまう。
【００１２】
こうした点に鑑み、本願発明の目的は、上述した従来技術の欠点を克服する、電磁波を通じた非接触データ送信中のデータ盗難、身分詐称および詐欺行為を防止するための単純かつ廉価なデバイスを与えることである、特に、本願発明の目的は、よりフレキシブルに使用可能で、ユーザにとってより使用しやすく、かつ、より信頼性が高いデバイスを与えることである。特に、本願発明の目的は、特定の設計のＮＦＣ／ＲＦＩＤ電波チップキャリア、例えば、クレジットカードの特定の設計に依存しないデバイスを与えることである。
【００１３】
これらの目的は、請求項１に従うデバイスによって、および、請求項１２に従う使用によって達成される。当該デバイスの有利な実施形態は従属項から生じる。
【課題を解決するための手段】
【００１４】
ＮＦＣ／ＲＦＩＤ電波チップのデータに対する無許可アクセスは、電気的に導体の薄いパッドによって防止される。それは、例えば、好適には、不連続な二次元のストライプまたはパターン形式を有する金属またはカーボン、特にグラファイトを含む金属エレメントまたは物体である。二次元の電気的に導体の物体が、物体として理解されるべきである、当該物体は、表面に垂直な方向に対する伸長より、少なくともひとつのオーダーの大きさだけ表面に渡って伸長し、大きく曲がりかつ屈曲することが可能である。同様に、電気的導体の着色層が読み取りを防止する。強度を増加させるために、パッドは、プラスチック、厚紙、ボール紙等から構成される。側面の間または少なくとも一方側の電気的導体層は重要である。導体層はストリップで作成されてもよい。電磁波に対して特に効果的な保護はグラファイトコーティングによって達成される。
【００１５】
紳士用の財布を保護するために、保護ストリップは最も内側のコンパートメントのサイズにカットされ、その中に押し込まれる。財布が折りたたまれて閉じられたとき、正面および背面は無許可アクセスに対して自動的に保護される。
【００１６】
例えばパスポートについても、同様に適用可能である。わずかに接着力があるように作成されたパッドが、パスポートカバーの内側に配置されて固定される。パスポートが折りたたまれて閉じられると、中身は無許可スパイ行為に対して保護される。
【００１７】
本願発明のさらなる利点または特徴は、以下の図面を参照した説明および特許請求の範囲により完全に規定される。
【図面の簡単な説明】
【００１８】
【図１】図１は、電磁波に対する保護のない財布を示す。
【図２】図２は、電波保護の好適実施形態を有する図１に記載の財布を示す。図示の都合上、財布の中に２／３だけ押し込まれた状態で示されている。
【発明を実施するための形態】
【００１９】
図１は、例えば、ＲＦＩＤまたはＮＦＣチップを具備するクレジットカード、マエストロカード、マネーカード、ビルまたは駐車場用のアクセスカード、運転免許証、身分証または類似のカードなどの物品用の６個の内側ポケット１２を有する従来の財布を示す。図１に示すような財布１０の開放状態において、内側ポケット１２はユーザが直接アクセス可能である。内側ポケットの裏側、すなわち、外側から内側ポケットをたたんだ状態で閉じられる側に２つの面１６、１８が画定される。
【００２０】
図２は、本願発明の好適実施形態を有する図１に記載の財布１０示す。実施形態に従う電気的導体形式である２つの保護エレメント１４の電気的導体層は、二次元物体であり、各々は２つの面１６、１８上に配置され、内側ポケット１２およびその内部に配置されたカードは財布が閉じられたとき面１６、１８によって外部の電磁気電波からシールドされる。図２に示す保護エレメント１４の代わりに、好適に弾性であるように作成された少なくとも部分的に電気的導体の物体も使用可能である。そのように作用する物体の例は、グラファイトである。
【００２１】
保護エレメント１４は、フィルムを有し、その上に好適には、アプリケーションに応じて、異なる導電率、透磁性および誘電率を有するひとつ以上の異なる材料の層が気相蒸着される。該層の厚さおよび材料のシーケンスは、最終生成物の電磁気的特性を変化させる。その結果、特定の周波数帯域を、拒絶することができる。こうして、例えば、メガヘルツレンジの電磁放射線を効果的にシールドしつつ、キロヘルツレンジの電磁放射線は、保護エレメント１４を通過させることが可能となる。したがって、例えば、概して１３．５６ＭＨｚの周波数で読み取られるＮＦＣエレメントの読み取りは防止され、一方、キロヘルツレンジの動作周波数を有するＲＦＩＤタグは機能し続ける。
【００２２】
特に好適な実施形態において、３５ｎｍから５０ｎｍ、好ましくは４０ｎｍの厚さのアルミニウム層がフィルム上に気相成長され、任意のより厚いポリエステル層がその上に適用され、その後、他の３５ｎｍから５０ｎｍ、好ましくは４０ｎｍの厚さのアルミニウム層が気相成長され、他の任意のより厚いポリエステル層がその上に適用され、さらに３５ｎｍから５０ｎｍ、好ましくは４０ｎｍの厚さのアルミニウム層がその上に気相成長される。したがって、保護エレメント１４は好適には、３つのアルミニウム層を有し、各々は、３５ｎｍから５０ｎｍ、好ましくは４０ｎｍの厚さを有し、各々は互いにポリエステル層によって分離される。付加的な層、例えば、ポリエステル層が、最も外側のアルミニウム層、または、最も外側の複数のアルミニウム層の上に、アルミニウムを保護するために、適用されてもよい。また、その上に特にＲＦＩＤアンテナまたはＲＦＩＤチップ全体が配置されるグラファイト層を付加的に与えることも可能である。それは、異方性のためにグラファイトによってアルミニウム層から電気的に分離される。この文脈において、グラファイトの異方性とは、グラファイト層がグラファイトの個々の層に沿って電気的に導通するが、その個々の層に対して垂直方向に電気的に絶縁されることを意味する。このグラファイト層は、好適には少なくとも１５０μｍの厚さを有する。
【００２３】
結果的に、７０ｎｍから２００ｎｍ、特に好適には、１００ｎｍから１５（１５０）ｎｍの累積厚のアルミニウムまたはそれ以外の導体材料の層が製造される。
【００２４】
代替的に実施形態において、３５ｎｍから１００ｎｍ、好適には５０ｎｍの厚さのアルミニウム層がポリエステル層の両側にそれぞれ適用される。
【００２５】
保護エレメント１４は、好適には、８０μｍから１５０μｍの間の総厚を有し、その結果、それは取り扱い易くなる。
【００２６】
図２において、保護エレメント１４は、保護エレメント１４をより見やすくするために、財布１０の内部方向に２／３だけ押し込んだ状態で示されている。保護エレメント１４が財布１０内に完全に押し込まれ、内側ポケット１２内のすべてのカードの保護が保証されるように、実施形態の完成品は与えられる。
【００２７】
図２に示す例示的な実施形態とは異なり、例えば、保護エレメント１４をワンピースで作成することも可能である。代替的にまたは付加的に、財布に対して保護エレメントが、外側から、例えば、接着され、縫い込まれ、気相成長され、または、他の方法により固定されてもよい。代替的に、電気的導体染料または材料が、気相成長または印刷されてもよい。
【００２８】
好適実施形態において、保護エレメント１４は、アルミニウムまたは銅フィルムの頂部にプラスチックのベース層、および、この頂部にグラファイト層を有してもよい。これらの層のシーケンスは変更されてもよい。
【００２９】
ここに示された財布の代替例として、任意の形式の容器に対しても応用可能である。
【先行技術文献】
【特許文献】
【００３０】
【特許文献１】ドイツ国特許出願公開第２０２０１００１６３４１号明細書
【特許文献２】ドイツ国特許出願公開第２０２００６００２２８４号明細書
【特許文献３】ドイツ国特許出願公開第２０２０１３００３４１０号明細書
【図１】
2017520040.tif 000003
【図２】
2017520040.tif 000004
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
各々がＲＦＩＤまたはＮＦＣチップを具備する物品を保持するための複数の内側ポケットを備えた容器であって、前記容器は、少なくとも２つの面上に与えられた電気的導体層によって複数の内側ポケットの少なくともひとつを包囲し、前記複数の内側ポケットの少なくともひとつは、前記少なくとも２つの面によって電磁波からシールドされる、ことを特徴とする容器。
【請求項２】
前記少なくとも２つの面は、前記容器の前記内側ポケットの複数を包囲する、ことを特徴とする請求項１に記載の容器。
【請求項３】
前記少なくとも２つの面は、前記容器の前記内側ポケットのすべてを包囲する、ことを特徴とする請求項１に記載の容器。
【請求項４】
前記少なくとも２つの面上の前記電気的導体層の複数が、互いに一体的に形成されている、ことを特徴とする請求項１から３のいずれか一項に記載の容器。
【請求項５】
前記少なくとも２つの面上の前記電気的導体層のすべてが、互いに一体的に形成されている、ことを特徴とする請求項１から３のいずれか一項に記載の容器。
【請求項６】
前記容器は、前記ＲＦＩＤまたはＮＦＣチップを具備した複数の物品を保持するための財布、ハンドバッグ、プリペイドカードポケットまたはパスポートポケットである、ことを特徴とする請求項１から５のいずれか一項に記載の容器。
【請求項７】
前記電気的導体層は、カーボン、および／または、アルミニウムである、ことを特徴とする請求項１から６のいずれか一項に記載の容器。
【請求項８】
前記電気的導体層は、グラファイト、および／または、アルミニウムである、ことを特徴とする請求項１から６のいずれか一項に記載の容器。
【請求項９】
前記電気的導体層は、少なくともアルミニウムおよびグラファイトを含むマルチレイヤー構造である、ことを特徴とする請求項１から８のいずれか一項に記載の容器。
【請求項１０】
前記電気的導体層の総厚は、８０ｎｍと１５０ｎｍとの間である、ことを特徴とする請求項１から９のいずれか一項に記載の容器。
【請求項１１】
前記電気的導体層は、７０ｎｍと２００ｎｍとの間の累積厚のアルミニウムを有する、ことを特徴とする請求項１から１０のいずれか一項に記載の容器。
【請求項１２】
前記電気的導体層は、１００ｎｍと１５０ｎｍとの間の累積厚のアルミニウムを有する、ことを特徴とする請求項１から１０のいずれか一項に記載の容器。
【請求項１３】
前記電気的導体層は、アルミニウム層およびポリエステル層を間に有する、複数の層のマルチレイヤー構造であり、
ポリエステル層がひとつの前記アルミニウム層の外側に配置されており、
グラファイト層がさらに、ひとつの前記アルミニウム層の外側に配置されている、ことを特徴とする請求項１から１２のいずれか一項に記載の容器。
【請求項１４】
前記電気的導体層は、アルミニウム層およびポリエステル層を間に有する、３層のマルチレイヤー構造であり、
ポリエステル層がひとつの前記アルミニウム層の外側に配置されており、
グラファイト層がさらに、ひとつの前記アルミニウム層の外側に配置されている、ことを特徴とする請求項１から１２のいずれか一項に記載の容器。
【請求項１５】
前記電気的導体層は、グラファイト、および、前記グラファイトの上に配置された少なくともひとつのＲＦＩＤチップの少なくともひとつのアンテナを有する、ことを特徴とする請求項１から１４のいずれか一項に記載の容器。
【請求項１６】
前記電気的導体層は、最大で１０％だけクレジットカードと大きさが異なる２つのエレメントを有し、前記エレメントは、前記容器内の前記クレジットカードのコンパートメントの反対側の側面上に配置されている、ことを特徴とする請求項１から１５のいずれか一項に記載の容器。
【請求項１７】
各々がＲＦＩＤまたはＮＦＣチップを具備する複数の物品を、複数の内側ポケットを有する容器内で保持し、前記容器の外部の電磁波から同時にシールドするための電気的導体かつ二次元の物体の使用。
【請求項１８】
前記電気的導体かつ二次元の物体は、自己接着性であるように作成される、ことを特徴とする請求項１７に記載の電気的導体かつ二次元の物体の使用。
【請求項１９】
前記電気的導体かつ二次元の物体は、基板に対して適用され、前記基板はプラスチック、紙、またはボール紙である、ことを特徴とする請求項１７または１８に記載の電気的導体かつ二次元の物体の使用。
【請求項２０】
前記電気的導体かつ二次元の物体は、前記基板に対して、気相成長によって適用される１９に記載の電気的導体かつ二次元の物体の使用。
【請求項２１】
前記電気的導体かつ二次元の物体は、前記基板に対して、接着によって適用される、ことを特徴とする請求項１９に記載の電気的導体かつ二次元の物体の使用。
【請求項２２】
前記電気的導体かつ二次元の物体は、２つの二次元基板の間に挿入されている、ことを特徴とする請求項１７から２１のいずれか一項に記載の電気的導体かつ二次元の物体の使用。
【請求項２３】
前記電気的導体かつ二次元物体は、ユーザによって前記容器の形状に切断されており、および／または、前記容器の形状およびサイズに折りたたまれる、ことを特徴とする請求項１７から２２のいずれか一項に記載の電気的導体かつ二次元の物体の使用。
【請求項２４】
前記電気的導体かつ二次元物体は、カーボン、アルミニウム、および銅からなる集合から選択される少なくともひとつの層を含む、ことを特徴とする請求項１７から２３のいずれか一項に記載の電気的導体かつ二次元の物体の使用。
【請求項２５】
前記電気的導体かつ二次元物体は、グラファイト、アルミニウム、および銅からなる集合から選択される少なくともひとつの層を含む、ことを特徴とする請求項１７から２３のいずれか一項に記載の電気的導体かつ二次元の物体の使用。
【請求項２６】
請求項１から１６のいずれかに記載の容器に対する請求項１７から２５のいずれか一項に記載の電気的導体かつ二次元の物体の使用。
【手続補正２】
【補正対象書類名】明細書
【補正対象項目名】００２３
【補正方法】変更
【補正の内容】
【００２３】
結果的に、７０ｎｍから２００ｎｍ、特に好適には、１００ｎｍから１５０ｎｍの累積厚のアルミニウムまたはそれ以外の導体材料の層が製造される。
【手続補正３】
【補正対象書類名】図面
【補正対象項目名】全図
【補正方法】変更
【補正の内容】
【図１】
2017520040.tif 000005
【図２】
2017520040.tif 000006
【国際調査報告】
2017520040.tif 000007
2017520040.tif 000008
2017520040.tif 000009
2017520040.tif 000010
2017520040.tif 000011
2017520040.tif 000012